(57)【要約】【課題】  天板の高さを調整して天板と左右の側板部との間にギャップが形成された場合でも、そのギャップが、手前側からの視界に入ることがなく、美観が損なわれない学習机を提供することを目的とする。【解決手段】  天板３と、天板３の左右縁を保持する脚用側板部14，14と、を有する。側板部14，14の上端面14ａ，14ａと天板３の左右下面とのギャップＧを増減して、天板３の高さを調整する高さ調整機構４を具備する。かつ、側板部14，14の各々の外面と略同一面状の外面18，18を有しギャップＧの前端を閉鎖する垂下片８，８を、天板３の左右縁の下面前方位置に一体状に付設した。また、左右一対の引出し２，２を備え、天板３の下面側に収納した状態の引出し２，２の前半部の外側面を被覆する位置に、垂下片８，８が、配設されている。【選択図】  図４
2005245693.tif 000002
【特許請求の範囲】
【請求項１】
天板（３）と、該天板（３）の左右縁を保持する脚用側板部 (14)(14) と、を有し、
上記側板部 (14)(14) の上端面 (14ａ)(14ａ) と上記天板（３）の左右下面 (13)(13) とのギャップ（Ｇ）を増減して、上記天板（３）の高さ（Ｈ）を調整する高さ調整機構（４）を具備し、
かつ、上記側板部 (14)(14) の各々の外面と略同一面状の外面 (18)(18) を有し上記ギャップ（Ｇ）の前端を閉鎖する垂下片 (８)(８) を、上記天板（３）の左右縁の下面前方位置に一体状に付設したことを特徴とする学習机。
【請求項２】
左右一対の引出し (２)(２) を備え、
上記天板（３）の下面（13）側に収納した状態の上記引出し (２)(２) の前半部の外側面を被覆する位置に、上記垂下片 (８)(８) が、配設されている請求項１記載の学習机。
【請求項３】
天板（３）の左右縁を支持する左右側板部 (14)(14) は、その下端面 (14ｂ)(14ｂ) に、細長状の基台部材 (７)(７) が着脱可能に取り付けられ、かつ、該基台部材 (７)(７) が、縦横の長さ寸法 (Ｌ1 )(Ｌ2 ) が相違する横断面矩形状を有し、
該基台部材 (７)(７) を、軸心廻りに90°回転して、上記側板部 (14)(14) の下端面 (14ｂ)(14ｂ) に択一的に固着具にて取り付けるように構成したことを特徴とする学習机。
【発明の詳細な説明】
【技術分野】
【０００１】
本発明は、学習机に関するものである。
【背景技術】
【０００２】
従来の学習机として、天板が、前部と後部とに分割可能に構成され、前部天板は、その下方に調整用の螺軸部材（長細状ボルト部材）が延設され、その螺軸部材が、左右の側板部（脚板）の上部に設けられたナット部材に螺着されており、ナット部材を回転させて螺軸部材を昇降させることで前部天板の高さの調整可能として構成されたものが知られている（例えば、特許文献１参照）。後部天板は、側板部の上方に延設した棒体の上部で、所定高さに支持されている。
【特許文献１】特開平１１−４６８７０号公報
【発明の開示】
【発明が解決しようとする課題】
【０００３】
この従来の学習机は、前部天板を、後部天板と同じ高さまで上昇させて、各々の上面を面一状とした状態で使用する際に、天板と、左右側板部との間にギャップ（隙間）が形成される。さらに、そのギャップに於ては、高さ調整用の螺軸部材が剥き出しになり、ギャップ及び螺軸部材等が、手前側から視界に入ってしまい、美観上好ましくない。
【０００４】
そこで、本発明は、天板の高さを調整して天板と左右の側板部との間にギャップが形成された場合でも、そのギャップが、手前側からの視界に入ることがなく、美観が損なわれない学習机を提供することを目的とする。
また、簡易な構成でありながら、床面からの天板の高さを、使用者の体格に合わせて容易に調整することができると共に、天板と左右の側板部との間にギャップが形成されず、美観を損なうことのない学習机を提供することを、他の目的とする。
【課題を解決するための手段】
【０００５】
上記の目的を達成するために、本発明に係る学習机は、天板と、該天板の左右縁を保持する脚用側板部と、を有し；上記側板部の上端面と上記天板の左右下面とのギャップを増減して、上記天板の高さを調整する高さ調整機構を具備し；かつ、上記側板部の各々の外面と略同一面状の外面を有し上記ギャップの前端を閉鎖する垂下片を、上記天板の左右縁の下面前方位置に一体状に付設したものである。
そして、左右一対の引出しを備え、上記天板の下面側に収納した状態の上記引出しの前半部の外側面を被覆する位置に、上記垂下片が、配設されている。
【０００６】
また、本発明に係る学習机は、天板の左右縁を支持する左右側板部は、その下端面に、細長状の基台部材が着脱可能に取り付けられ、かつ、該基台部材が、縦横の長さ寸法が相違する横断面矩形状を有し、該基台部材を、軸心廻りに90°回転して、上記側板部の下端面に択一的に固着具にて取り付けるように構成したものである。
【発明の効果】
【０００７】
本発明は、次のような著大な効果を奏する。
使用者の体格等に合わせて天板の高さを調整し子供から大人まで使用できると共に、天板を高く調整して使用する際に形成されるギャップが、手前側からの視界に入ることがなく、美観上好ましい。
また、天板をどの高さに調整して使用する場合でも、引出しの前半部の外側面が剥き出しにならず、側方からの視界に入らないので、美観上好ましい。
【発明を実施するための最良の形態】
【０００８】
以下、実施の形態を示す図面に基づき、本発明を詳説する。
図１，図２，図３，図４及び図５に於て、本発明に係る学習机は、天板３と、天板３の左右縁を保持する脚用側板部14，14と、を有している。
左右側板部14，14は、その下端面14ｂ，14ｂに固着され床面Ｆ上に設置するための細長状の基台部材７，７を、有する。
また、左右側板部14，14の夫々の後端辺は、略鉛直面状の板部材と、板部材の下部に於て前方へ延設された横方向細長状帯板材と、で連結されている。
【０００９】
天板３は、その下面13側に、前方へ引出し自在として保持される一対の引出し２，２を、有する。
また、天板３の左右縁の下面13は、その前端寄りに、短帯板状の垂下片８，８が一体状に付設され、その垂下片８，８の外面18，18は、側板部14，14の各々の外面24，24と略同一面状となるように構成されると共に、垂下片８，８が、天板３の下面13と側板部14の上端面14ａ，14ａとの間に形成される（後述の）ギャップＧの前端を閉鎖するように、構成されている。
また、垂下片８，８は、天板３の下面13側に収納した状態の引出し２，２の前半部の外側面を被覆する位置に、配設される。
さらに、天板３の左右縁の下面13には、垂下片８，８の後方、かつ、内側寄りに、左右一対の前後方向帯板状の固定用板部15，15が、一体状に付設されている。
【００１０】
そして、天板３と側板部14，14は、側板部14，14の上端面14ａ，14ａと天板３の左右下面13，13とのギャップＧを増減して、天板３の（床面Ｆからの）高さＨを調整する高さ調整機構４を、具備している。
具体的には、高さ調整機構４は、天板３の上記固定用板部15の前後部に同じ高さをもって形成された２つの第２孔12，12と、側板部14の上部の前後部に形成され第２孔12，12の前後間隔と同じ間隔で配設された第１孔11，11と、側板部14の外側から第１孔11，11及び第２孔12，12に挿通（螺着）するボルトやネジ等の固定具６…と、から成る。
【００１１】
また、第１孔11，11は、前後に２つ配設された上側孔11Ａ，11Ａと、上側孔11Ａ，11Ａの下方に所定間隔寸法Ｓをもって前後に２つ配設された下側孔11Ｂ，11Ｂと、を備え、所定間隔寸法Ｓは、25mm乃至35mmに設定される。
固定具６…を下側孔11Ｂ，11Ｂ及び第２孔12，12に螺着して固定した場合には、天板３の下面13と側板部14の上端面14ａ，14ａが当接するように構成され（図１，図２参照）、かつ、固定具６…を上側孔11Ａ，11Ａ及び第２孔12，12に挿通し固定した場合には、天板３の下面13と側板部14の上端面14ａ，14ａとの間に細長溝状ギャップＧが形成されるように、構成される（図４，図５参照）。
即ち、上記ギャップＧの間隔寸法は、25mm乃至35mmとなる。
【００１２】
次に、図６、図７、図８及び図９は、本発明に係る学習机の他の実施の形態を示し、左右側板部14，14は、その下端面14ｂ，14ｂに、細長状の基台部材７，７が着脱可能に取り付けられている。
基台部材７は、横断面矩形状を有し、その縦横の長さ寸法Ｌ1 ，Ｌ2 は相違しており、長辺側の長さ寸法Ｌ2 と、短辺側の長さ寸法Ｌ1 の差を、25mm乃至35mmに設定する。
この基台部材７は、前後２以上の箇所に、側板部14，14の下端面14ｂ，14ｂに固着するためボルト等の固着具を螺着する雌ネジ孔部20が、形成される。
具体的には、雌ネジ孔部20は、基台部材７の（横断面に於ける）長辺側の両面にかけて貫通した第１雌ネジ孔21と、短辺側の両面にかけて貫通し第１雌ネジ孔21と直交する（十文字状の）第２雌ネジ孔22と、から成る。
また、側板部14，14の下端面14ｂ，14ｂには、上記雌ネジ孔部20…に対応する位置に、夫々の雌ネジ孔部20…を通された固着具を螺着するための下方開口状の第３雌ネジ孔23…が、形成される。
そして、基台部材７，７を、軸心廻りに90°回転して、側板部14，14の下端面14ｂ，14ｂに択一的に取り付けるように構成されている。
【００１３】
次に、上述の学習机の使用方法（作用）について説明する。
図１〜図３に於て、天板３の下面13を側板部14の上端面14ａ，14ａに当接させ、固定具６…を、側板部14の下側孔11Ｂ，11Ｂ、及び天板３の固定用板部15の第２孔12，12に螺着して、固定して使用する。この場合は、床面Ｆから天板３の上面までの高さＨは、約 730mmに設定されるのが好ましい。
次に、天板３の高さＨをもっと高くして使用したい場合には、図３〜図５に示すように、天板３を側板部14の上端面14ａから離し持ち上げ、固定具６…を、側板部14の上側孔11Ａ，11Ａ、及び天板３の固定用板部15の第２孔12，12に螺着して、固定して使用する。
このとき、天板３の下面13と、側板部14，14の上端面14ａ，14ａと、の間に形成されたギャップＧ，Ｇは、その前方に於て、天板３の下面13に付設された垂下片８，８に閉鎖されており、手前側からの矢印25の方向の視界に入ることがない。
さらに、天板３の下面13側に収納した状態の引出し２，２の前半部の外側面も、垂下片８，８に被覆されており、側方からの視界に入ることがない。
【００１４】
次に、図６，図７に於て、基台部材７，７の（横断面に於ける）長辺の面を側板部14，14の下端面14ｂ，14ｂに当接させ、ボルト等の固着具を、基台部材７，７の第１雌ネジ孔21…及び側板部14，14の第３雌ネジ孔23…に螺着する。
このとき、床面Ｆから天板３の上面までの高さＨは、図１，図２の場合と同様に、約 730mmに設定されるのが好ましい。
次に、上記高さＨをもっと高くして使用したい場合には、固着具を取り外し、図８，図９に示すように、基台部材７，７を、前後方向軸心廻りに90°回転して、基台部材７，７の短辺の面を側板部14，14の下端面14ｂ，14ｂに当接させ、ボルト等の螺着具を、基台部材７，７の第２雌ネジ孔22…及び側板部14，14の第３雌ネジ孔23…に螺着する。
床面Ｆから天板３の上面までの高さＨは、図６，図７の状態に比べ、Ｌ2 とＬ1 の差（25mm乃至35mm）の寸法が高くなる。
【００１５】
以上のように、本発明に係る学習机は、天板３と、天板３の左右縁を保持する脚用側板部14，14と、を有し、側板部14，14の上端面14ａ，14ａと天板３の左右下面13，13とのギャップＧを増減して、天板３の高さＨを調整する高さ調整機構４を具備し、かつ、側板部14，14の各々の外面と略同一面状の外面18，18を有しギャップＧの前端を閉鎖する垂下片８，８を、天板３の左右縁の下面前方位置に一体状に付設したものなので、使用者の体格等に合わせて天板３の高さＨを調整し子供から大人まで使用できると共に、天板３を高く調整して使用する際に形成されるギャップＧ，Ｇが、手前側からの視界に入ることがなく、美観上好ましい。
【００１６】
また、左右一対の引出し２，２を備え、天板３の下面13側に収納した状態の引出し２，２の前半部の外側面を被覆する位置に、垂下片８，８が、配設されているので、天板３をどの高さＨに調整して使用する場合でも、引出し２，２の前半部の外側面が剥き出しにならず、側方からの視界に入らないので、美観上好ましい。
【００１７】
また、本発明に係る学習机の他の実施の形態は、天板３の左右縁を支持する左右側板部14，14は、その下端面14ｂ，14ｂに、細長状の基台部材７，７が着脱可能に取り付けられ、かつ、基台部材７，７が、縦横の長さ寸法Ｌ1 ，Ｌ2 が相違する横断面矩形状を有し、基台部材７，７を、軸心廻りに90°回転して、側板部14，14の下端面14ｂ，14ｂに択一的に固着具にて取り付けるように構成したものなので、簡易な構成でありながら、使用者の体格等に合わせて天板３の高さＨを容易に調整することができる。
また、天板３と側板部14，14との間にギャップ（隙間）が形成されることなく、天板３の高さＨを調整できるので、美観上も好ましい。
【００１８】
なお、同一の学習机に、図１〜図５に於て説明したような高さ調整機構４、垂下片８，８を備えると共に、図６〜図９に於て説明したように、基台部材７，７を、軸心廻りに90°回転して、側板部14，14の下端面14ｂ，14ｂに択一的に固着具にて取り付けるように構成してもよい。
【図面の簡単な説明】
【００１９】
【図１】本発明に係る学習机の実施の一形態を示す斜視図である。
【図２】側面図である。
【図３】要部側面図である。
【図４】斜視図である。
【図５】側面図である。
【図６】本発明に係る学習机の他の実施の形態を示す側面図である。
【図７】要部正面図である。
【図８】側面図である。
【図９】要部正面図である。
【符号の説明】
【００２０】
２  引出し
３  天板
４  高さ調整機構
７  基台部材
８  垂下片
13  下面
14  側板部
14ａ  上端面
14ｂ  下端面
18  外面
Ｇ  ギャップ
Ｈ  高さ
Ｌ1   長さ寸法
Ｌ2   長さ寸法
【図１】
2005245693.tif 000003
【図２】
2005245693.tif 000004
【図３】
2005245693.tif 000005
【図４】
2005245693.tif 000006
【図５】
2005245693.tif 000007
【図６】
2005245693.tif 000008
【図７】
2005245693.tif 000009
【図８】
2005245693.tif 000010
【図９】
2005245693.tif 000011